(57)【特許請求の範囲】
【請求項１】
洗い場を構成する床面と、水栓と、当該水栓の側方に併設された暖房装置とを含む浴室ユニットにおいて、
前記床面の一端側に洗面器等を載せ置くための台が設けられ、
前記暖房装置は、前記台の上面に配置されるとともに浴槽のエプロンに対向する壁面側に配置され、前記水栓の手前側を横切る第１横方向に温風を吹出す側部吹出し口と、前記第１方向と直交する第２横方向に温風を吹出す前部吹出し口とを備えていることを特徴とする浴室ユニット。
【請求項２】
前記水栓が設けられているカウンターが前記台の上方に設けられ、これらカウンターと台との間に前記暖房装置が配置されていることを特徴とする請求項１記載の浴室ユニット。
【請求項３】
前記暖房装置は前記壁面に接することを特徴とする請求項１又は２記載の浴室ユニット。
【請求項４】
前記暖房装置は前記側部吹出し口の上端部が浴槽の上端部よりも低くなるように配置され、前記側部吹出し口は上下方向に延びるスロット状に設けられて前記浴槽の側面に向かって温風を吹出す一方、前部吹出し口は横方向に延びるスロット状に設けられて対向する壁面に向かって温風を吹出すことを特徴とする請求項１、２又は３記載の浴室ユニット。
【請求項５】
前記前部吹出し口内に温風を床面方向に向ける整流板を備えていることを特徴とする請求項１、２、３又は４記載の浴室ユニット。
【発明の詳細な説明】
【技術分野】
【０００１】
本発明は浴室ユニットに係り、更に詳しくは、入浴者を包み込むように暖めるとともに、浴室内を短時間で暖めることのできる暖房装置を備えた浴室ユニットに関する。
【背景技術】
【０００２】
冬季の一般家庭における浴室内は寒さを感じるため、浴室を暖房できるようにした浴室ユニットが採用されるようになっている。例えば、特許文献１には、サウナ装置の吹出口から浴室内に加熱空気を吹出して加温できるようにした浴室ユニットが開示されている。
【先行技術文献】
【特許文献】
【０００３】
【特許文献１】特開平１０−５３０５号公報
【発明の概要】
【発明が解決しようとする課題】
【０００４】
しかしながら、特許文献１に記載された浴室ユニットは、サウナ装置から吹出す加熱空気が一方向に向けられているだけであり、入浴者の身体全体を包み込むように暖めることができない。また、冬季等、浴室内温度が低いときに、浴室全体を暖めるまでに時間を要する、という不都合がある。
【０００５】
ところで、浴室の洗い場に入浴者が位置するときは、水栓の前に位置（以下、単に「水栓前位置」という）することが極めて自然であり、且つ、通常と考えられる。従って、入浴者を包み込むような状態で浴室を暖める場合には、水栓前位置を考慮して温風の吹出し口の位置や吹出し方向等を検討することが必要である。
【０００６】
［発明の目的］
本発明の目的は、水栓前位置に入浴者が位置することを基準として二方向に温風を吹出すことで、当該入浴者を包み込むように浴室を暖めることができる浴室ユニットを提供することにある。
また、本発明の他の目的は、短時間で浴室を暖めることのできる浴室ユニットを提供することにある。
【課題を解決するための手段】
【０００７】
前記目的を達成するため、本発明は、特許請求の範囲記載の構成を採用したものである。具体的には、洗い場を構成する床面と、水栓と、当該水栓の側方に併設された暖房装置とを含む浴室ユニットにおいて、
前記床面の一端側に洗面器等を載せ置くための台が設けられ、
前記暖房装置は、前記台の上面に配置されるとともに浴槽のエプロンに対向する壁面側に配置され、前記水栓の手前側を横切る第１横方向に温風を吹出す側部吹出し口と、前記第１方向と直交する第２横方向に温風を吹出す前部吹出し口とを備える、という構成を採っている。
前記浴室ユニットにおいて、前記水栓が設けられているカウンターが前記台の上方に設けられ、これらカウンターと台との間に前記暖房装置が配置される、という構成を採ることができる。
また、前記暖房装置は前記壁面に接する構成とすることもできる。
【０００８】
本発明において、前記暖房装置は前記側部吹出し口の上端部が浴槽の上端部よりも低くなるように配置され、前記側部吹出し口は上下方向に延びるスロット状に設けられて前記浴槽の側面に向かって温風を吹出す一方、前部吹出し口は横方向に延びるスロット状に設けられて対向する壁面に向かって温風を吹出すように設けることが好ましい。
【０００９】
また、前記前部吹出し口内に温風を床面方向に向ける整流板を備えた構成を採用することができる。
【発明の効果】
【００１０】
本発明によれば、暖房装置が側部吹出し口と前部吹出し口とを備えた構成であるため、水栓前位置に入浴者が位置したときに、当該入浴者の前方を横切るように温風が通過する一方、入浴者の横を前方から後方に向かって温風が通過することになる。これらの温風は、その後次第に浴室内で拡がるようになり、従って、入浴者を包み込むように浴室を暖めることができ、同時に浴室内を短時間で加温することが可能となる。
また、暖房装置を側部吹出し口の上端部が浴槽の上端部よりも低くなるように配置した構成により、側部吹出し口から吹出す温風を浴槽の上部に逃がすことなく浴槽の側面で反射させることができ、洗い場の温度上昇を早めることができる。
更に、前部吹出し口内に整流板を設けることで最も冷えている床面をすばやく暖めることができる。
【図面の簡単な説明】
【００１１】
【図１】実施形態に係る浴室ユニットの概略斜視図。
【図２】前記浴室ユニットの概略平面図。
【発明を実施するための形態】
【００１２】
以下、本発明の実施形態について図面を参照しながら説明する。
【００１３】
浴室の洗い場を構成する床面１０の一端側（図１図中奥行側）において、洗面器等を載せ置くための台１１が浴槽１２の側面をなすエプロン１２Ａと壁面１３と間に設けられている。台１１の上方には、カウンター１５が設けられ、当該カウンター１５の前端部左寄りの位置に水栓１７が設けられている。また、台１１の上面には、暖房装置としての蒸気発生装置２０が配置されている。この蒸気発生装置２０は、その右側面が壁面１３に接する状態で配置され、これにより、台１１とカウンター１５との間において、蒸気発生装置２０が水栓１７よりも右側に位置するように設定されている。
【００１４】
前記蒸気発生装置２０は、図２に示されるように、水栓１７の手前側（前端側）を横切る第１横方向Ａ１に温風を吹出す側部吹出し口２１と、第１方向と直交する第２横方向Ａ２、すなわち、図１中手前側に温風を吹出す前部吹出し口２２とを備え、当該前部吹出し口２２には、床面１０に温風を向ける整流板２４（図１参照）が配置されている。
【００１５】
前記側部吹出し口２１は、上下方向に長いスロット状に開口しており、従って、側部吹出し口２１から吹出す温風は、略垂直面内で横方向に流れるカーテンフローを形成しつつエプロン１２Ａに向かって流れるようになる。
【００１６】
一方、前部吹出し口２２は、左右方向に長いスロット状に開口しており、従って、横方向に拡がった状態でカーテンフローを形成しつつ床面１０に向かい、その後に対向する壁面１４に向かって流れるようになる。
【００１７】
図２に示されるように、入浴者Ｈは、身体を洗ったり、洗髪したりする時には、水栓前位置に着座するのが通常であり、本実施形態は、水栓前位置を基準として入浴者Ｈの身体を包み込むような方向、具体的には、入浴者Ｈの前方と側方の二方向に温風を通過させるようにし、これにより、自然な感じで心地よさを伴うように入浴者を暖めるとともに、浴室の温度を素早く上げることができるようになっている。
【００１８】
従って、本実施形態によれば、蒸気発生装置２０に吹出し口を二つ設け、それぞれ異なる方向に温風を吹出す構成とするだけで、入浴者にとって快適な温度を体感させることができ、また、短時間で暖房を行うことができるので冬季利用時の効果が大きい。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２０】
例えば、前記実施形態では、暖房装置が蒸気発生装置２０である場合を示したが、必ずしもこれに限定されるものではなく、温風の送風機等、浴室を暖めることのできるものであれば足りる。
また、蒸気発生装置２０は、温風の吹出し方向を２方向とする構成を維持できるものであれば、吹出し口の数は増加してもよい。更に、図示例では、蒸気発生装置２０の側部吹出し口２１が左側面に設けられているが、浴室の各部レイアウトが左右対称に変更した構成では、右側面に設けられることになる。
また、台１１は省略することが可能であり、この場合、蒸気発生装置２０は床面１０に直接支持させればよい。
【符号の説明】
【００２１】
１０…床面、１２…浴槽、１２Ａ…エプロン、１３…壁面、１４…壁面、１７…水栓、２０…蒸気発生装置（暖房装置）、２１…側部吹出し口、２２…前部吹出し口、２４…整流板、Ａ１…第１横方向、Ａ２…第２横方向
【図１】
0005934455.tif 000002
【図２】
0005934455.tif 000003